(57)【要約】【課題】  普段、自分が利用している端末である自端末を携行しなくても、自端末の操作環境と同じ操作環境で、移動先に設置されている移動先端末を利用することが容易である通信システムを提供することを目的とするものである。【解決手段】  普段、自分が利用している端末である自端末に設定されている各種情報等である環境情報を、ネットワーク上のサーバに登録し、移動先に設けられている端末である移動先端末から、ネットワーク上の上記サーバにアクセスし、登録されている自端末に関する環境情報を、参照・ダウンロードすることによって、移動先端末に、上記自端末と同じ操作性を再現する。【選択図】  図１
2005303955.tif 000002
【特許請求の範囲】
【請求項１】
ネットワークに接続してユーザが利用している自分の端末である自端末の操作環境を、移動先に設けられている端末である移動先端末で再現する通信システムであって、
ユーザを識別するユーザ識別情報と、ユーザが上記自端末を利用する場合における各種端末設定情報と、上記自端末が持っている能力情報とによって構成されている環境情報を記憶する環境情報記憶手段と；
上記環境情報を登録する要求と、上記環境情報とを、ネットワークを介して、所定のサーバに送信する手段と；
を有することを特徴とする通信システムにおける自端末。
【請求項２】
ネットワークに接続してユーザが利用している自分の端末である自端末の操作環境を、移動先に設けられている端末である移動先端末で再現する通信システムであって、
ユーザを認証するユーザ認証手段と；
上記ユーザが上記自端末から送信した環境情報を、記憶する環境情報記憶手段と；
上記環境情報記憶手段が記憶している環境情報の中から、環境情報のダウンロードを要求している要求元のユーザに関する環境情報を検索し、この検索された環境情報を、上記要求元のユーザに送信する環境情報送信手段と；
を有することを特徴とする通信システムにおけるサーバ。
【請求項３】
ネットワークに接続してユーザが利用している自分の端末である自端末の操作環境を、移動先に設けられている端末である移動先端末で再現する通信システムであって、
端末を操作するユーザに関する環境情報のダウンロードを、所定のサーバに要求する環境情報ダウンロード要求を送信する送信手段と；
上記所定のサーバから、上記要求した環境情報をダウンロードするダウンロード手段と；
を有することを特徴とする通信システムにおける移動先端末。
【請求項４】
ネットワークに接続してユーザが利用している自分の端末である自端末の操作環境を、移動先に設けられている端末である移動先端末で再現する通信システムであって、
ユーザを識別するユーザ識別情報と、ユーザが上記自端末を利用する場合における各種端末設定情報と、上記自端末が持っている能力情報とによって構成されている環境情報を記憶する第１の環境情報記憶手段と、上記環境情報を登録する要求と、上記環境情報とを、ネットワークを介して、所定のサーバに送信する手段とを具備する自端末と；
ユーザを認証するユーザ認証手段と、上記ユーザが上記自端末から送信した環境情報を、記憶する第２の環境情報記憶手段と、上記第２の環境情報記憶手段が記憶している環境情報の中から、環境情報のダウンロードを要求している要求元のユーザに関する環境情報を検索し、この検索された環境情報を、上記要求元のユーザに送信する環境情報送信手段とを具備するサーバと；
端末を操作するユーザに関する環境情報のダウンロードを、所定のサーバに要求する環境情報ダウンロード要求を送信する送信手段と、上記所定のサーバから、上記要求した環境情報をダウンロードするダウンロード手段とを具備する移動先端末と；
を有することを特徴とする通信システム。
【請求項５】
請求項４において、
上記ユーザの操作によって、ネットワークを介して、上記サーバから、上記移動先端末が環境情報をダウンロードすると、上記ダウンロードした環境情報に基づいて、上記移動先端末の各種設定を、自動的に更新することを特徴とする通信システム。
【請求項６】
請求項４において、
上記移動先端末は、
上記ユーザの操作によって、ネットワークを介して、上記サーバから、環境情報をダウンロードすると、上記ダウンロードした環境情報内に記述されている能力情報と、上記移動端末における能力情報とが整合しているかどうかを判別する判別手段と；
上記移動先端末が利用できない機能をディスプレイに表示する表示手段と；
を有する端末であることを特徴とする通信システム。
【請求項７】
請求項４において、
上記移動先端末は、
上記ユーザの操作に基づいて、ネットワークを介して、上記サーバからダウンロードした環境情報のうちの能力情報と、上記移動先端末が具備する能力情報とが整合していない場合、上記移動先端末が具備していない能力に対応する端末設定を自動的に実行する端末であることを特徴とする通信システム。
【請求項８】
請求項４において、
上記移動先端末は、
上記ユーザの操作に基づいて、ネットワークを介して、上記サーバからダウンロードした環境情報のうちの能力情報と、上記移動先端末が具備する能力情報とが整合していない場合、上記移動先端末に組み込むことによってサービス提供が可能になる機能モジュールのダウンロードを、ネットワークを介して、第２のサーバに要求する手段と；
上記第２のサーバから、機能モジュールとレスポンスとを受信する手段と；
受信した上記機能モジュールを自動的に上記移動先端末内に組み込み、環境情報に基づいて各種設定を自動的に更新する手段と；
を有する端末であることを特徴とする通信システム。
【請求項９】
請求項８において、
上記第２のサーバは、
上記移動先端末に組み込むことによってサービス提供が可能になる機能モジュールを、予め蓄積・管理する手段と；
所定のユーザから送信された機能モジュールのダウンロード要求に対して、上記所定のユーザを認証する手段と；
上記蓄積・管理する機能モジュールの中から、所定の機能モジュールを検索する手段と；
上記所定の機能モジュールを検索する手段による検索結果と、検索された上機能モジュールとを、要求元のユーザに返信する手段と；
を有するサーバであることを特徴とする通信システム。
【請求項１０】
請求項４において、
端末とサーバとの間で、上記環境情報と機能モジュールの情報とを伝達する際に、上記環境情報と機能モジュールとを暗号化して送受信することを特徴とする通信システム。
【発明の詳細な説明】
【技術分野】
【０００１】
本発明は、ネットワークに接続して利用している自端末の操作環境を、移動先に設けられている移動先端末で再現する通信システムに関する。
【背景技術】
【０００２】
現在まで、慣れ親しんだ自端末の利用環境を、外出先等の移動先端末で再現するためには、上記自端末そのものを携行し、移動先のシステムまたはネットワークに、上記携行した自端末を接続し、利用することが一般的である(たとえば、特許文献１参照)。
【特許文献１】特開昭６２−２６２５９７号公報
【発明の開示】
【発明が解決しようとする課題】
【０００３】
しかし、上記従来例において、電話系端末では、携帯電話やＰＨＳ（登録商標）用の端末を除いて、自端末を携行することは、困難である。
【０００４】
すなわち、上記従来例では、自端末を移動先まで携行することが困難であるので、慣れ親しんだ自端末の操作環境を、移動先で再現することが困難であるという問題がある。
【０００５】
本発明は、自端末を携行しなくても、自端末の操作環境と同じ操作環境で、移動先に設置されている移動先端末を利用することが容易である通信システムを提供することを目的とするものである。
【課題を解決するための手段】
【０００６】
本発明は、普段、自分が利用している端末である自端末に設定されている各種情報等である環境情報を、ネットワーク上のサーバに登録し、移動先に設けられている端末である移動先端末から、ネットワーク上の上記サーバにアクセスし、登録されている自端末に関する環境情報を、参照・ダウンロードすることによって、移動先端末に、上記自端末と同じ操作性を再現する。
【発明の効果】
【０００７】
本発明によれば、自端末を携行しなくても、上記自端末の操作環境と同じ操作環境で、移動先に設置されている端末を利用することが容易であるという効果を奏する。
【発明を実施するための最良の形態】
【０００８】
発明を実施するための最良の形態は、以下の実施例である。
【実施例１】
【０００９】
図１は、本発明の実施例１である通信システム１００を示すブロック図である。
【００１０】
通信システム１００は、自端末Ｔ１と、サーバＳＶ１と、移動先端末Ｔ２とを有する。
【００１１】
自端末Ｔ１は、ユーザが日常使用している端末であり、端末機能を制御する端末制御部１１と、環境情報の記憶・管理部１２と、送受信制御部１３とを有する。また、自端末Ｔ１、移動先端末Ｔ２は、電話機、パソコン等である。
【００１２】
環境情報の記憶・管理部１は、環境情報を記憶、管理する。上記「環境情報」は、ユーザを識別する情報と、上記ユーザが自端末Ｔ１を利用する場合における各種端末設定情報と、上記自端末Ｔ１が持っている能力情報とによって構成されている環境情報である。
【００１３】
認証情報記憶・管理部２は、自端末Ｔ１からの登録要求または移動先端末Ｔ２からのダウンロード要求に対する認証情報を記憶、管理する。
【００１４】
環境情報の送受信制御部３は、ユーザが日常使用している自端末Ｔ１から上記環境情報を受信し、上記環境情報を、ユーザの外出先等の移動先端末Ｔ２に送信する。
【００１５】
認証制御部４は、自端末Ｔ１からの登録要求または移動先端末Ｔ２からのダウンロード要求に対して、端末Ｔ１、Ｔ２の認証処理を行う。
【００１６】
図２は、通信システム１００において使用される自端末Ｔ１の構成を示すブロック図である。
【００１７】
環境情報の管理部１２は、自端末Ｔ１を利用しているユーザを識別する情報（ユーザＩＤ）１２１と、自端末Ｔ１を利用する際の各種端末設定情報１２２と、自端末Ｔ１が持っている能力情報１２３とを格納し、管理する。
【００１８】
能力情報１２３は、種別ＩＤ、搭載機能、ディスプレイ能力、搭載ボタン等に関する情報である。
【００１９】
環境情報の送受信制御部１３は、サーバＳＶ１の位置情報１３１と、後述の第２のサーバＳＶ２の位置情報１３２とを格納し、管理する。
【００２０】
つまり、自端末Ｔ１は、ネットワークに接続してユーザが利用している自分の端末である自端末の操作環境を、移動先に設けられている端末である移動先端末で再現する通信システムであって、ユーザを識別するユーザ識別情報と、ユーザが上記自端末を利用する場合における各種端末設定情報と、上記自端末が持っている能力情報とによって構成されている環境情報を記憶する環境情報記憶手段と、上記環境情報を登録する要求と、上記環境情報とを、ネットワークを介して、所定のサーバに送信する手段とを有する自端末の例である。
【００２１】
サーバＳＶ１は、環境情報の記憶・管理部１と、認証情報の記憶・管理部２と、環境情報の送受信制御部３と、認証制御部４とを有する。
【００２２】
また、サーバＳＶ１は、ネットワークに接続してユーザが利用している自分の端末である自端末の操作環境を、移動先に設けられている端末である移動先端末で再現する通信システムであって、ユーザを認証するユーザ認証手段と、上記ユーザが上記自端末から送信した環境情報を、記憶する環境情報記憶手段と、上記環境情報記憶手段が記憶している環境情報の中から、環境情報のダウンロードを要求している要求元のユーザに関する環境情報を検索し、この検索された環境情報を、上記要求元のユーザに送信する環境情報送信手段とを有する通信システムにおけるサーバの例である。
【００２３】
移動先端末Ｔ２は、端末制御部２１と、環境情報の記録・管理部２２と、送受信制御部２３とを有する。
【００２４】
端末制御部２１は、端末制御部１１と同様であり、環境情報の記録・管理部２２は、環境情報の記録・管理部１２と同様であり、送受信制御部２３は、送受信制御部１３と同様である。
【００２５】
移動先端末Ｔ２は、ネットワークに接続してユーザが利用している自分の端末である自端末の操作環境を、移動先に設けられている端末である移動先端末で再現する通信システムであって、端末を操作するユーザに関する環境情報のダウンロードを、所定のサーバに要求する環境情報ダウンロード要求を送信する送信手段と、上記所定のサーバから、上記要求した環境情報をダウンロードするダウンロード手段とを有する通信システムにおける移動先端末の例である。
【００２６】
次に、実施例１の動作について説明する。
【００２７】
図３は、実施例１の動作を示すフローチャートであり、自端末Ｔ１を利用しているユーザの環境情報を、第１のサーバＳＶ１に登録する動作を示すフローチャートである。
【００２８】
自端末Ｔ１は、ユーザの設定によって各種機能を実現することができる端末である。
【００２９】
まず、自端末Ｔ１をネットワークに接続する設定を行い（Ｓ１０１）、自端末Ｔ１を利用するユーザに対応する環境情報を作成する（Ｓ１０２）。
【００３０】
上記「環境情報」は、自端末Ｔ１を利用するユーザであることを認識する情報（ユーザＩＤ等）と、そのユーザが自端末Ｔ１で利用したい端末機能の設定と、自端末Ｔ１が持つ各種能力情報とである。
【００３１】
上記環境情報の作成が完了すると（Ｓ１０２）、自端末Ｔ１は、ネットワークを介して、第１のサーバＳＶ１に、作成された環境情報の登録要求を送信する（Ｓ１０３）。第１のサーバＳＶ１は、自端末Ｔ１からの登録要求を受信すると（Ｓ２０１）、ユーザを認識する情報（ユーザＩＤ）に基づいて、認証処理を行う（Ｓ２０２）。
【００３２】
第１のサーバＳＶ１は、認証結果がＯＫであれば（Ｓ２０３）、認証ＯＫのレスポンスを、自端末Ｔ１に送信し（Ｓ２０４）、認証ＮＧの場合は、環境情報を登録しない（Ｓ２０５）。自端末Ｔ１は、第１のサーバＳＶ１から、認証ＯＫのレスポンスを受信すると（Ｓ１０４）、ユーザに関する環境情報を、第１のサーバＳＶ１に送信する（Ｓ１０５）。
【００３３】
第１のサーバＳＶ１は、自端末Ｔ１から環境情報を受信し（Ｓ２０６）、第１のサーバＳＶ１内に登録し（Ｓ２０７）、環境情報を登録することができた旨のレスポンスを、自端末Ｔ１に送信する（Ｓ２０８）。
【００３４】
自端末Ｔ１は、第１のサーバＳＶ１からの登録完了レスポンスを受信し、環境情報の登録を完了する（Ｓ１０６）。上記一連の動作によって、自端末Ｔ１を使用しているユーザに関する環境情報を、ネットワークを介して、第１のサーバＳＶ１に登録することができる。
【００３５】
ネットワークを介して接続されている第１のサーバＳＶ１に、環境情報を登録すれば、上記ネットワークに接続されている端末であって、自端末Ｔ１とは異なる場所に存在している端末（移動先端末Ｔ２）から、第１のサーバＳＶ１に登録されている上記環境情報（自端末Ｔ１における環境情報）をダウンロードし、これによって、移動先端末Ｔ２において、自分（自端末Ｔ１を使用しているユーザ）の操作環境を再現することができる。
【００３６】
次に、移動先端末Ｔ２において、自分の操作環境（自端末Ｔ１における操作環境）を再現する動作について説明する。
【００３７】
図４は、移動先端末Ｔ２において、自分の操作環境（自端末Ｔ１における操作環境）を再現する動作を示すフローチャートである。
【００３８】
まず、移動先端末Ｔ２は、ユーザがそのときに設定した環境情報に基づいて運用し、待機している（Ｓ１１１）。
【００３９】
ここで、移動先端末Ｔ２を、上記ユーザが自分の操作環境で利用する場合、上記ユーザが、移動先端末Ｔ２を介して、上記ユーザに関する環境情報のダウンロード要求を、第１のサーバＳＶ１に送信する（Ｓ１１３）。
【００４０】
第１のサーバＳＶ１は、移動先端末Ｔ２からのダウンロード要求を受信すると（Ｓ２１１）、ダウンロード要求したユーザを認識する情報（ユーザＩＤ）に基づいて、認証処理を行う（Ｓ２１２）。第１のサーバＳＶ１は、認識結果がＯＫであれば（Ｓ２１３）、上記ユーザに関する環境情報を検索処理する（Ｓ２１４）。
【００４１】
第１のサーバＳＶ１の中に、上記ユーザに関する環境情報（自端末Ｔ１に関する環境情報）が見つかれば（Ｓ２１５）、上記ユーザに関する環境情報を、移動先端末Ｔ２に送信する（Ｓ２１６）。このときに、認証と検索結果とがＮＧであれば、環境情報をダウンロードしない（Ｓ２１７）。
【００４２】
移動先端末Ｔ２は、第１のサーバＳＶ１から、上記ユーザに関する環境情報を受信すると（Ｓ１１４）、受信した環境情報に記載されている端末種別が、移動先端末Ｔ２の端末種別と一致しているかどうかを判断し（Ｓ１１５）、一致していれば、受信した環境情報を、移動先端末Ｔ２に自動的に反映する（Ｓ１１６）。
【００４３】
上記動作によって、自端末Ｔ１を使用しているユーザの操作環境で、移動先端末Ｔ２を利用することができる。両端末種別が互いに不一致であれば、不整合時の処理を行う。
【００４４】
つまり、実施例１は、上記ユーザの操作によって、ネットワークを介して、上記サーバから、上記移動先端末が環境情報をダウンロードすると、上記ダウンロードした環境情報に基づいて、上記移動先端末の各種設定を、自動的に更新する通信システムの例である。
【００４５】
次に、第２のユーザが、移動先端末Ｔ２で環境情報をダウンロードする動作について説明する。
【００４６】
図５は、第２のユーザが、移動先端末Ｔ２で環境情報をダウンロードする動作について説明する。
【００４７】
実施例１において、自端末Ｔ１を使用しているユーザ（第１のユーザ）が、移動先端末Ｔ２で、第１のユーザのいつもの操作環境と同じ操作環境を再現する場合の他に、自端末Ｔ１以外の自端末を使用している第２のユーザが、移動先端末Ｔ２で、第２のユーザのいつもの操作環境を再現するようにしてもよく、この場合における動作を、図５に示してある。
【００４８】
まず、移動先端末Ｔ２は、第１のユーザの環境情報に基づいて運用待機中であるとし（Ｓ１２１）、第２のユーザが特定の操作（ユーザ変更操作）を行うと（Ｓ１２２）、移動先端末Ｔ２は、第１のサーバＳＶ１に対して、第２のユーザに関する環境情報をダウンロードする要求を送信する（Ｓ１２３）。
【００４９】
第１のサーバＳＶ１は、第２のユーザに関する環境情報を、図３に示す動作と同様にして、予め登録してあり、移動先端末Ｔ２が送信した環境情報ダウンロード要求を検出する（Ｓ２２１）。このダウンロード要求した第２のユーザに対する認証処理を行い（Ｓ２２２）、認証が取れれば（Ｓ２２３）、第２のユーザに関する環境情報を検索し（Ｓ２２４）、検索できれば（Ｓ２２５）、第２のユーザに関する環境情報を送信する（Ｓ２２６）。上記検索ができなければ（Ｓ２２５）、ダウンロードはできない（Ｓ２２７）。
【００５０】
移動先端末Ｔ２は、サーバＳＶ１から第２のユーザに関する環境情報を受信し（Ｓ１２４）、端末種別が一致すれば（Ｓ１２５）、第２のユーザに関する環境情報を移動先端末Ｔ２に反映する（Ｓ１２６）。
【００５１】
端末種別が一致しなければ（Ｓ１２５）、不整合時の処理を行う（Ｓ１２７）。上記不整合時の処理は、図７に示してあり、後述する。
【実施例２】
【００５２】
図６は、本発明の実施例２である通信システム２００を示すブロック図である。
【００５３】
通信システム２００は、通信システム１００において、第２のサーバＳＶ２が付加されたシステムであり、第２のサーバＳＶ２は、ネットワークを介して、自端末Ｔ１、移動先端末Ｔ２に接続されている。
【００５４】
第２のサーバＳＶ２は、拡張情報の記憶・管理部３１と、認証情報の記録・管理部３２と、拡張情報の送受信制御部３３と、認証制御部３４とを有する。
【００５５】
拡張情報の記憶・管理部３１は、拡張情報を記憶、管理する。上記「拡張情報」は、端末の機能を拡張する情報（拡張機能モジュール）である。
【００５６】
認証情報の記録・管理部３２は、端末（ユーザ）からのダウンロード要求に対して認証する。
【００５７】
送受信制御部３３は、拡張情報（拡張機能モジュール情報）を送受信する。
【００５８】
認証制御部３４は、端末からのダウンロード要求に対して、端末（ユーザ）の認証処理を行う。
【００５９】
次に、第１のサーバＳＶ１からダウンロードした環境情報を実現できる端末種別と、移動先端末Ｔ２の端末種別とが不一致である場合の動作について説明する。
【００６０】
図７は、第１のサーバＳＶ１から、第２のユーザがダウンロードした環境情報を実現できる端末種別と、移動先端末Ｔ２の端末種別とが不一致である場合の動作を示すフローチャートである。
【００６１】
ユーザが、移動先端末Ｔ２を操作することによって、第１のサーバＳＶ１からの環境情報のダウンロードが完了した後に、ダウンロードした環境情報に記載されている端末種別と、移動先端末Ｔ２の端末種別との不一致が明らかになった場合の動作が、図７に示してある。
【００６２】
ダウンロードした環境情報に記載されている端末種別と、移動先端末Ｔ２の端末種別とが不一致である場合、ダウンロードした環境情報のうちで、移動先端末Ｔ２では利用できない環境情報を、移動端末Ｔ２が検索し（Ｓ１３１）、移動先端末Ｔ２で利用できない機能モジュールを、移動先端末Ｔ２のディスプレイに表示する（Ｓ１３２）。ユーザは、移動先端末Ｔ２のディスプレイに表示されている利用不可である機能モジュールを、利用可能にするために、第２のサーバＳＶ２から必要な機能モジュールをダウンロードする要望があるかどうかを決める（Ｓ１３４）。
【００６３】
そして、移動先端末Ｔ２は、必要な機能モジュールのダウンロード要求を、第２のサーバＳＶ２に送信し（Ｓ１３５）、必要ない機能モジュールを利用しない（Ｓ１３６）。
【００６４】
移動先端末Ｔ２が送信した機能モジュールのダウンロード要求を、第２のサーバＳＶ２が受信すると（Ｓ３１１）、ユーザを認識する情報（ユーザＩＤ）に基づいて、第２のサーバＳＶ２が、ユーザの認証処理を実行する（Ｓ３１２）。第２のサーバＳＶ２は、認証結果がＯＫであれば（Ｓ３１３）、ユーザ（移動先端末Ｔ２）が所望する機能モジュールの検索処理を実行する（Ｓ３１４）。第２のサーバＳＶ２が、上記所望の機能モジュールを記憶してあり、それを見つければ（Ｓ３１５）、ユーザが所望する機能モジュールを、移動先端末Ｔ２に送信する（Ｓ３１６）。
【００６５】
このときに、認証または検索結果がＮＧであれば、機能モジュールをダウンロードすることができない（Ｓ３１７）。
【００６６】
第２のサーバＳＶ２から、移動先端末Ｔ２が機能モジュールを受信すると（Ｓ１３７）、受信した機能モジュールを、移動先端末Ｔ２に自動的に反映する（Ｓ１３８）。上記動作によって、移動先端末Ｔ２は、端末種別の異なる環境情報を利用することができるようになる。
【００６７】
なお、上記各端末と各サーバとの間で、環境情報と機能モジュール情報とを伝達する際に、上記環境情報と機能モジュール情報とを暗号化して伝送するようにしてもよい。
【００６８】
上記実施例によれば、ユーザ毎に異なる利用端末、その端末で利用する機能、端末の設定内容等の情報を、ネットワークを介して接続されているサーバに登録し、ユーザが外出先等に移動した場合に、移動先端末を使って、サーバに予め登録してある自端末の環境情報と、必要な機能モジュールとを、上記移動先の端末にダウンロードすることによって、移動先端末で、自分が慣れ親しんだ端末の操作環境を再現することができる。
【００６９】
つまり、上記実施例は、上記ユーザの操作によって、ネットワークを介して、上記サーバから、環境情報をダウンロードすると、上記ダウンロードした環境情報内に記述されている能力情報と、上記移動端末における能力情報とが整合しているかどうかを判別する判別手段と、上記移動先端末が利用できない機能をディスプレイに表示する表示手段とを有する移動先端末の例である。
【００７０】
また、上記実施例は、上記ユーザの操作に基づいて、ネットワークを介して、上記サーバからダウンロードした環境情報のうちの能力情報と、上記移動先端末が具備する能力情報とが整合していない場合、上記移動先端末が具備していない能力に対応する端末設定を自動的に実行する移動先端末の例である。
【００７１】
さらに、上記実施例は、上記ユーザの操作に基づいて、ネットワークを介して、上記サーバからダウンロードした環境情報のうちの能力情報と、上記移動先端末が具備する能力情報とが整合していない場合、上記移動先端末に組み込むことによってサービス提供が可能になる機能モジュールのダウンロードを、ネットワークを介して、第２のサーバに要求する手段と、上記第２のサーバから、機能モジュールとレスポンスとを受信する手段と、受信した上記機能モジュールを自動的に上記移動先端末内に組み込み、環境情報に基づいて各種設定を自動的に更新する手段とを有する移動先端末の例である。
【００７２】
そして、上記実施例は、上記移動先端末に組み込むことによってサービス提供が可能になる機能モジュールを、予め蓄積・管理する手段と、所定のユーザから送信された機能モジュールのダウンロード要求に対して、上記所定のユーザを認証する手段と、上記蓄積・管理する機能モジュールの中から、所定の機能モジュールを検索する手段と、上記所定の機能モジュールを検索する手段による検索結果と、検索された上機能モジュールとを、要求元のユーザに返信する手段とを有する第２のサーバの例である。
【００７３】
また、上記実施例は、端末とサーバとの間で、上記環境情報と機能モジュールの情報とを伝達する際に、上記環境情報と機能モジュールとを暗号化して送受信する通信システムの例である。
【図面の簡単な説明】
【００７４】
【図１】本発明の実施例１である通信システム１００を示すブロック図である。
【図２】通信システム１００において使用される自端末Ｔ１の構成を示すブロック図である。
【図３】実施例１の動作を示すフローチャートであり、自端末Ｔ１を利用しているユーザの環境情報を、第１のサーバＳＶ１に登録する動作を示すフローチャートである。
【図４】移動先端末Ｔ２において、自分の操作環境（自端末Ｔ１における操作環境）を再現する動作を示すフローチャートである。
【図５】第２のユーザが、移動先端末Ｔ２で環境情報をダウンロードする動作について説明する。
【図６】本発明の実施例２である通信システム２００を示すブロック図である。
【図７】第１のサーバＳＶ１から、第２のユーザがダウンロードした環境情報を実現できる端末種別と、移動先端末Ｔ２の端末種別とが不一致である場合の動作を示すフローチャートである。
【符号の説明】
【００７５】
ＳＶ１…第１のサーバ、
１…環境情報の記憶・管理部、
２…認証情報の記憶・管理部、
３…環境情報の送受信制御部、
４…認証制御部、
Ｔ１…自端末、
１１…端末制御部、
１２…環境情報の記憶・管理部、
１２１…利用ユーザを特定する情報（ユーザＩＤ）、
１２２…端末の設定情報、
１２３…自端末の能力情報、
１３…送受信制御部、
１３１…第１のサーバＳＶ１の位置情報、
１３２…第２のサーバＳＶ２の位置情報、
Ｔ１…移動先端末、
２１…端末制御部、
２２…環境情報の記憶・管理部、
２３…送受信制御部、
ＳＶ２…第２のサーバ、
３１…拡張情報の記憶・管理部、
３２…認証情報の記憶・管理部、
３３…拡張情報の送信制御部、
３４…認証処理部。
【図１】
2005303955.tif 000003
【図２】
2005303955.tif 000004
【図３】
2005303955.tif 000005
【図４】
2005303955.tif 000006
【図５】
2005303955.tif 000007
【図６】
2005303955.tif 000008
【図７】
2005303955.tif 000009